(57)【要約】      （修正有）【課題】サークルムラの発生を抑制して、表示性能の低下を抑えた画像表示装置を提供する。【解決手段】ガラスまたは樹脂からなる基板と、前記基板の視認側に設けられた表側積層体と、前記基板の裏側に設けられた裏側積層体を有するパネルを備えた画像表示装置であって、パネルの対角線の交点を中心とした半径１０ｃｍの円内の全ての領域において、裏側光学部材と前記裏側積層体に隣設するバックライト側光学部材の距離が２ｍｍ以上であることを特徴とする画像表示装置。【選択図】図１
2007225922.tif 000002
【特許請求の範囲】
【請求項１】
ガラスまたは樹脂からなる基板と、前記基板の視認側に設けられた表側積層体と、前記基板の裏側に設けられた裏側積層体を有するパネルを備えた画像表示装置であって、パネルの対角線の交点を中心とした半径１０ｃｍの円内の全ての領域において、裏側積層体と該裏側積層体に隣設するバックライト側光学部材との距離が２ｍｍ以上であることを特徴とする画像表示装置。
【請求項２】
ガラスまたは樹脂からなる基板と、前記基板の視認側に設けられた表側積層体と、前記基板の裏側に設けられた裏側積層体を有するパネルを備えた画像表示装置であって、前記裏側積層体に隣設するバックライト側光学部材が視認側からみて凹状態に反っており、その曲率半径が７５０ｃｍ以下であることを特徴とする画像表示装置。
【請求項３】
前記パネルの長辺が４０ｃｍ〜３５０ｃｍであることを特徴とする請求項１または２に記載の画像表示装置。
【請求項４】
前記表側積層体と前記基板とが粘着剤層を介して積層されており、前記粘着剤層の厚みが３０μｍ〜１００μｍであることを特徴とする請求項１〜３のいずれか１項に記載の画像表示装置。
【請求項５】
前記パネルの視認側の表面が開放されており、前記パネルの裏側が筐体で閉じられていることを特徴とする請求項１〜４のいずれか１項に記載の画像表示装置。
【請求項６】
前記基板が液晶セルであり、前記裏側積層体が光学補償フィルムを含むことを特徴とする請求項１〜５のいずれか１項に記載の画像表示装置。
【請求項７】
前記表側積層体は、視認側に設けられた視認側保護膜と、基板側に設けられた基板側保護膜とを有し、前記視認側保護膜および前記基板側保護膜の少なくとも一方がセルロースアシレートからなることを特徴とする請求項６に記載の画像表示装置。
【請求項８】
ＶＡ方式またはＩＰＳ方式の液晶表示モードを用いた請求項１〜７のいずれか１項に記載の画像表示装置。
【請求項９】
ＴＮ方式またはＯＣＢ方式の液晶表示モードを用いた請求項１〜８のいずれか１項に記載の画像表示装置。
【発明の詳細な説明】
【技術分野】
【０００１】
本発明は、薄型ディスプレイ等の画像表示装置に関し、特にパソコン用モニターやテレビ等に用いられる液晶表示装置として有用な画像表示装置に関する。
【背景技術】
【０００２】
液晶表示装置は、低電圧・低消費電力で小型化・薄膜化が可能など様々な利点を有することから、パーソナルコンピューターや携帯機器のモニター、テレビ用途としての開発が進められており、最近ではそれに伴って大画面化が進んでいる。
【０００３】
また、液晶表示装置は、大画面化と同時に画像表示装置全体の薄型化が進行している。画像表示装置の薄型化は画像表示装置を薄いガラスや樹脂製の基板を備えたパネルで構成すること等で達成される。しかしながら、このような液晶パネルを高温・高湿下に曝した後、黒画面を表示した際、パネル（画面）に環状に光漏れする「サークルムラ」現象が発生し、表示性能上大きな問題となっている。
この際、パネルを観察すると、パネルに反りが発生しており、画像表示装置の表側（視認側）から観察した場合、パネル中央部がへこみ、縁部分が表側に反っている。
【０００４】
上述のパネルの反りは、本来反りを起こさないガラスまたは樹脂製の基板に対して、観察側とその裏側（以下、観察側に対しその裏側を単に「裏側」と称することがある。）とに積層された各種部材が、加熱や吸湿・放湿などによって膨張・収縮を起こし、観察側と裏側とで膨張・収縮差が生じることで、画像表示装置の表と裏との力のバランスが崩れ発生するものである。通常の画像表示装置は、パネルの観察側の表面が開放されているのに対し、裏面は筐体に組み込まれて準密閉状態となっている。このため、基板を挟んでいる表側積層体と裏側積層体とで加熱や吸湿・放湿量に差が生じ、そのために膨張・収縮にも差が生じて反りが発生していると考えられる。
【０００５】
液晶表示装置を例にとると、液晶表示装置は、ガラス基板に液晶を封入した液晶セルの両側に偏光を作り出す偏光板を配置し、必要に応じて位相差板、反射防止フィルム、輝度向上膜等の各種光学素子を積層し、外周部を「ベゼル」と呼ばれるステンレス等の金属板からなる固定枠で固定して液晶モジュールとし、この液晶モジュールを他の構成部材と共に筐体内に組み立て、収納して製造される。
【０００６】
液晶表示装置の電源点灯時はバックライトで温度が上昇するなどの理由により、装置の表側（視認側）とバックライト側とで温度や湿度の差が生じることがある。この場合、液晶セルを境界に、偏光板を含んだ表側積層体とバックライト側の裏側積層体とがさらされる温度や湿度の条件は異なっており、それぞれの積層体はこれらの条件の差の影響を受けると考えられる。パネルに反りが起こると、パネルの縁部分または四隅が筐体に接触するだけでなく、背面に設置されているバックライトヘの密着により表示性能上の問題も生ずる。さらには黒表示画面とした際にパネル（画面）の四隅がムラ状に光漏れする「コーナームラ」現象を起こし、表示性能上非常に大きな問題となることもある。
【０００７】
環境変化によるパネルの反りを改善するために、特許文献１では液晶セルの両側に保護膜付き偏光子からなる偏光板を設け、さらに裏側の偏光板に輝度向上フィルムを積層した液晶表示装置において、表側の偏光板に用いる保護膜と裏側の偏光板に用いる保護膜との膜厚を変えている。しかしながら、表側に設けられる積層体の視認側の保護膜の厚みを薄くすると偏光子の湿度による劣化が進みやすく光学性能が低下するという問題があった。
【特許文献１】特開２００３−１４９６３４号公報
【発明の開示】
【発明が解決しようとする課題】
【０００８】
パネルを高温、高湿下に曝した後、常温常湿下に取り出した場合、黒表示画面においてパネル（画面）に環状に光漏れ（以下「サークルムラ」と呼ぶことがある）が発生する場合がある。本発明はこの「サークルむら」の発生を抑制し、表示性能の低下を抑えた画像表示装置を提供することを目的とする。
【課題を解決するための手段】
【０００９】
前記「サークルむら」は液晶表示装置を高温高湿下に一定期間放置した後、常温常湿下に取り出し、バックライトを点灯し数時間経過させると発生する。本発明の発明者らはこの原因を明らかにすべく検討を行った結果、下記メカニズムで「サークルむら」が生じることを見出した。
１）液晶表示装置が高湿下に放置された場合、表側積層体および裏側積層体部材はいずれも吸湿するが、その後、液晶表示装置のバックライトを常温常湿下で点灯すると、筐体が外界に開放されているパネルの表側積層体からは容易に脱湿が起こって収縮する一方で、裏側積層体は周りが筐体等で囲まれているため表側積層体に比べて脱湿が遅れ、このため収縮が遅れる。これによって表側積層体と裏側積層体の収縮のバランスが崩れて、パネルが表側からみて凹方向に反る。
２）発生したパネルの反りによってパネルがバックライト側の部材に円形に接触する。すなわち裏側積層体にはバックライト側の部材へ接触する部分が円形に生じる。この場合、非接触部からは比較的容易に脱湿するため、その領域において収縮が起こるが、円形の接触部は空気が流通し難いため脱湿し難く、収縮が起きにくくなる。すなわち裏側積層体のバックライト側部材への接触部と非接触部において収縮力の差が生じるため、裏側積層体に位相差が発生し、サークルムラが発生する。
【００１０】
上記メカニズムを踏まえ、さらに分析したところ、上記のパネルの反りの曲率半径は約８００ｃｍ程度であることがわかった。従って、パネルの裏側積層体がそれに隣設するバックライト側の部材へ接触することを防ぐために、パネルの対角線の交点を中心とした半径１０ｃｍの円内の全ての領域において、裏側積層体と前記裏側積層体に隣設するバックライト側の光学部材の距離を２ｍｍ以上とすることでパネルとバックライト側光学部材の接触を防ぎ、「サークルむら」の発生を抑制できることを明らかにした。
より具体的にはバックライト側の部材の曲率半径を７５０ｃｍ以下にすれば、パネルが反った場合でもパネルの裏側積層体がそれに隣設するバックライト側の部材へ接触せず、サークルむらの発生を防止できることを見出した。
【００１１】
具体的には以下の手段により上述の課題を解決することができる。
（態様１）
ガラスまたは樹脂からなる基板と、前記基板の視認側に設けられた表側積層体と、前記基板の裏側に設けられた裏側積層体を有するパネルを備えた画像表示装置であって、パネルの対角線の交点を中心とした半径１０ｃｍの円内の全ての領域において、裏側積層体と該裏側積層体に隣設するバックライト側光学部材との距離が２ｍｍ以上であることを特徴とする画像表示装置。
（態様２）
ガラスまたは樹脂からなる基板と、前記基板の視認側に設けられた表側積層体と、前記基板の裏側に設けられた裏側積層体を有するパネルを備えた画像表示装置であって、前記裏側積層体に隣設するバックライト側光学部材が視認側からみて凹状態に反っており、その曲率半径が７５０ｃｍ以下であることを特徴とする画像表示装置。
（態様３）
前記パネルの長辺が４０ｃｍ〜３５０ｃｍであることを特徴とする態様１または２に記載の画像表示装置。
（態様４）
前記表側積層体と前記基板とが粘着剤層を介して積層されており、前記粘着剤層の厚みが３０μｍ〜１００μｍであることを特徴とする態様１〜３のいずれか１項に記載の画像表示装置。
（態様５）
前記パネルの視認側の表面が開放されており、前記パネルの裏側が筐体で閉じられていることを特徴とする態様１〜４のいずれか１項に記載の画像表示装置。
（態様６）
前記基板が液晶セルであり、前記裏側積層体が光学補償フィルムを含むことを特徴とする態様１〜５のいずれか１項に記載の画像表示装置。
（態様７）  前記表側積層体は、視認側に設けられた視認側保護膜と、基板側に設けられた基板側保護膜とを有し、前記視認側保護膜および前記基板側保護膜の少なくとも一方がセルロースアシレートからなることを特徴とする態様６に記載の画像表示装置。
（態様８）
ＶＡ方式またはＩＰＳ方式の液晶表示モードを用いた態様１〜７のいずれか１項に記載の画像表示装置。
（態様９）
ＴＮ方式またはＯＣＢ方式の液晶表示モードを用いた態様１〜８のいずれか１項に記載の画像表示装置。
【発明の効果】
【００１２】
本発明によれば、サークルむらの発生を抑制し、表示性能の低下を抑えた画像表示装置を提供することができる。
【発明の実施の形態】
【００１３】
以下に本発明の画像表示装置について詳細に説明する。以下に記載する構成要件の説明は、本発明の代表的な実施態様に基づいてなされることがあるが、本発明はそのような実施態様に限定されるものではない。なお、本明細書において「〜」を用いて表される数値範囲は、「〜」の前後に記載される数値を下限値および上限値として含む範囲を意味する。
【００１４】
（画像表示装置の構成）
本発明の画像表示装置は、ガラスまたは樹脂からなる基板と、前記基板の視認側に設けられた表側積層体と、前記基板の裏側に設けられた裏側積層体とを有するパネルと、該パネルの前記裏側積層体に隣設する光学部材とを有する。
また、前記表側積層体および裏側積層体は偏光子を含む。前記表側積層体の偏光子には、その視認側に視認側保護膜を、また、基板側に基板側保護膜を設けることができる。また、前記視認側保護膜および前記基板側保護膜の少なくとも一方をセルロースアシレートで構成することが好ましい。
同様に前記裏側積層体偏光子には、バックライト側にバックライト側保護膜を、また、基板側に基板側保護膜を設けることができる。また、前記バックライト側保護膜および前記基板側保護膜の少なくとも一方をセルロースアシレートで構成することが好ましい。
さらに、本発明の画像表示装置は、バックライトを備えることが好ましい。前記バックライトしては公知のものを適宜用いることができる。
【００１５】
本発明の画像表示装置を構成するパネルには、必要に応じてその他の光学フィルムや機能層が設けられていてもよい。また、パネルは視認側の表面が開放され、且つ、裏面が筐体で閉じられるように画像表示装置に設置されることが好ましい。
またパネルとバックライトの間には必要に応じて輝度向上フィルム、光拡散シート等の各種光学部材が積層された構造を有する。
【００１６】
本発明の画像表示装置の構成例を図１に示す。図１において、本発明の画像表示装置は、筐体８にパネル１とバックライト側光学部材９を組み込んで構成されており、パネル１の視認側（紙面上方）の表面は開放されており、裏側（紙面下方のバックライト側）は、筐体８で密封されている。
【００１７】
パネル１は、表側積層体２と基板６と裏側積層体７とで構成されており、表側積層体２は、視認側保護膜３と、偏光子４と、基板側保護膜５とから構成されている。パネル１とバックライトの間には、例えば輝度向上フィルム、輝度上昇フィルム、光拡散シート、光拡散版、プリズムシート等から構成される光学部材９が積層される。
パネル１のサイズは特に限定されないが、長辺が４０ｃｍ〜３５０ｃｍであることが好ましく、４５ｃｍ〜３００ｃｍであることがさらに好ましく、５０ｃｍ〜２５０ｃｍであることが特に好ましい。
【００１８】
本発明の「液晶表示装置」は、基板となる液晶セルの両側に偏光板（表側積層体および裏側積層体）を配置し、必要に応じて位相差フィルム、反射防止フィルム、輝度向上フィルム等の各種光学素子が積層された構造を有する。本発明でいう基板は、液晶表示装置の場合には液晶セルに対応し、各積層体は偏光板、位相差フィルム、反射防止フィルム等の各種光学素子に対応する。
【００１９】
一般に、液晶表示装置は液晶パネルの外周部を「ベゼル」と呼ばれるステンレス等の金属板からなる固定枠で固定して液晶モジュールとし、この液晶モジュールを他の構成部材と共に筐体内に組み立て、収納して製造される。本発明においてもパネルの外周部をベゼル等の固定枠で固定して同様の構成で用いることができる。
【００２０】
（裏側積層体に隣設するバックライト側光学部材）
「裏側積層体に隣設するバックライト側光学部材」とは、裏側積層体に隣設し、かつバックライト側にある光学部材である。ここで隣設とは隣に設置されているという意味で、両者は必ずしも直接に接触していなくてもよい。具体的には、輝度向上フィルム、輝度上昇フィルム、光拡散シート、光拡散板、プリズムシートなどであるが、画像表示装置を高温高湿処理した後、パネルの裏側積層体がそれに隣設するバックライト側の部材へ接触することを防ぐために、パネルの対角線の交点を中心とした半径１０ｃｍの円内の全ての領域において、裏側光学部材と前記裏側積層体に隣設するバックライト側の光学部材の距離を２ｍｍ以上とすることを特徴とする。
【００２１】
裏側光学部材と前記裏側積層体に隣設するバックライト側の光学部材の距離は、  サークルむら発生防止の点及び、表示装置の薄型化の点で２ｍｍ〜１０ｍｍであることが好ましく、２ｍｍ〜７ｍｍであることがより好ましい。
具体的にはバックライト側の部材の曲率半径を７５０ｃｍ以下にすることが好ましい。このようにすることでパネルが反った場合でもパネルの裏側積層体がそれに隣設するバックライト側の部材へ接触せず、サークルむらの発生を防止できる。
バックライト側の曲率半径は、サークルムラ発生防止及び、表示装置の薄型化の観点で４００ｃｍ〜７５０ｃｍが好ましく、５００ｃｍ〜７５０ｃｍがより好ましい。
【００２２】
上記の通り、パネルの対角線の交点を中心とした半径１０ｃｍの円内の全ての領域において、裏側光学部材と前記裏側積層体に隣設するバックライト側の光学部材の距離を２ｍｍ以上とする具体的な手段としては、上記曲率半径を持ったバックライト側光学部材（光拡散板など）を用いることや、パネルと裏側積層体に隣設するバックライト側の光学部材を保持する部分にスペーサー等を挿入すること等が挙げられる。ここでいうスペーサーとは、裏側積層体とそれに隣設するバックライト側の光学部材の間に挿入することにより、パネルの対角線の交点を中心とした半径１０ｃｍの円内の全ての領域において、裏側光学部材と前記裏側積層体に隣設するバックライト側の光学部材の距離を２ｍｍ以上とすることのできる部材を言い、好ましいスペーサーとして金属やプラスチック等の材質の部材をを使用することができる。
【００２３】
（基板）
本発明の画像表示装置を構成する基板は、ガラスまたは樹脂（プラスチック）からなる。前記ガラスまたは樹脂は添加剤を含んでいてもよい。また前記基板は、ガラスまたは樹脂以外の構成要素を保持していてもよい。本発明でいう「基板」は液晶層を保持する板であることが好ましい。
【００２４】
前記基板としては、例えば、通常液晶セル用途に用いられているガラスや樹脂を構成要素として採用することができる。また、前記基板として液晶セルを用いる場合には、ガラスや樹脂からなるセル基板の間に液晶を封入することができる。また、液晶セルの両面には透明導電膜を設けることができ、さらに透明導電膜の表側（視認側）にはカラーフィルターを設けることができる。液晶表示装置を薄型化する観点からは、基板の厚みは、１ｍｍ以下が好ましく、０．７ｍｍ以下がさらに好ましく、０．５ｍｍ以下が最も好ましい。基板のサイズについては特に制限は無く、基板の面積が広い場合には液晶パネルの反りが発生しやすいことから、特に大画面の液晶表示装置で本発明を用いれば効果的である。
【００２５】
ここで、樹脂製の基板に用いることのできる素材としては、透明性と機械的強度とを有していればその材質は特に限定されず、従来公知のものを全て使用できる。前記樹脂製の基板に用いることができる樹脂としては、例えば、ポリカーボネート、ポリアリレート、ポリエーテルスルホン、ポリエステル、ポリスルホン、ポリメチルメタクリレート、ポリエーテルイミド、ポリアミド等の熱可塑性樹脂や、エポキシ系樹脂、不飽和ポリエステル、ポリジアリルフタレート、ポリイソボニルメタクリレート等の熱硬化性樹脂などを挙げることができる。かかる樹脂は、１種または２種以上を用いることができ、他成分との共重合体や混合物として用いることもできる。
【００２６】
（表側積層体および裏側積層体）
次に、本発明における表側積層体および裏側積層体について説明する。前記表積層体および裏側積層体は少なくとも偏光子を含み、偏光板として機能するものであることが好ましい。
【００２７】
本発明において、偏光板（表側積層体および裏側積層体）の種類は本発明の効果を損なわないものであれば特に制限はないが、例えば、ポリビニルアルコール（ＰＶＡ）フィルムを、二色性を有するヨウ素または二色性染料で染色し、延伸して配向させた後に架橋、乾燥させた偏光子と、トリアセチルセルロース（ＴＡＣ）フィルム等の保護膜とを貼り合わせて形成される吸収型偏光板を好ましく用いることができる。前記偏光子は光透過率や偏光度に優れるものが好ましい。表側積層体および裏側積層体の光透過率は３０％〜５０％が好ましく、３５％〜５０％がさらに好ましく、４０％〜５０％であることが最も好ましい。表側積層体および裏側積層体の偏光度は９０％以上であることが好ましく、９５％以上であることがさらに好ましく、９９％以上であることが最も好ましい。３０％以下の透過率、もしくは９０％以下の偏光度の場合には画像表示装置の輝度やコントラストが低く、表示品位が低下する場合がある。偏光子の厚みは１〜５０μｍが好ましく、１〜３０μｍがさらに好ましく、８〜２５μｍであることが最も好ましい。
【００２８】
前記表側積層体および裏側積層体の偏光子は、視認側に設けられた視認側保護膜、またはバックライト側に設けられたバックライト側保護膜と、基板側に設けられた基板側保護膜とを有することができる。また、前記視認側保護膜および前記基板側保護膜の少なくとも一方がセルロースアシレートからなることが好ましい。
【００２９】
本発明において偏光子と各保護膜との接着処理は、特に限定されるものではないが、例えば、ビニルアルコール系ポリマーからなる接着剤、あるいは、ホウ酸やホウ砂、グルタルアルデヒドやメラミン、シュウ酸などのビニルアルコール系ポリマーの水溶性架橋剤から少なくともなる接着剤などを介して行うことができる。特に、ポリビニルアルコール系フィルムとの接着性が最も良好である点で、ポリビニルアルコール系接着剤を用いることが好ましい。かかる接着層は、水溶液の塗布乾燥層などとして形成しうるが、その水溶液の調製に際しては必要に応じて、他の添加剤や、酸等の触媒も配合することができる。
【００３０】
各保護膜を形成する材料としては、光学性能透明性、機械的強度、熱安定性、水分遮蔽性、等方性などに優れるポリマーが好ましい。例えば、ポリカーボネート系ポリマー、ポリエチレンテレフタレートやポリエチレンナフタレート等のポリエステル系ポリマー、ポリメチルメタクリレート等のアクリル系ポリマー、ポリスチレンやアクリロニトリル・スチレン共重合体（ＡＳ樹脂）等のスチレン系ポリマーなどが挙げられる。また、ポリエチレン、ポリプロピレン等のポリオレフィン、エチレン・プロピレン共重合体の如きポリオレフィン系ポリマー、塩化ビニル系ポリマー、ナイロンや芳香族ポリアミド等のアミド系ポリマー、イミド系ポリマー、スルホン系ポリマー、ポリエーテルスルホン系ポリマー、ポリエーテルエーテルケトン系ポリマー、ポリフェニレンスルフィド系ポリマー、塩化ビニリデン系ポリマー、ビニルアルコール系ポリマー、ビニルブチラール系ポリマー、アリレート系ポリマー、ポリオキシメチレン系ポリマー、エポキシ系ポリマー、または前記ポリマーを混合したポリマーも例として挙げられる。また本発明に用いられる各保護膜は、アクリル系、ウレタン系、アクリルウレタン系、エポキシ系、シリコーン系等の紫外線硬化型、熱硬化型の樹脂の硬化層として形成することもできる。
【００３１】
本発明では、各保護膜を形成する材料として、熱可塑性ノルボルネン系樹脂を好ましく用いることができる。熱可塑性ノルボルネン系樹脂としては、日本ゼオン（株）製のゼオネックス、ゼオノア、ＪＳＲ（株）製のアートン等が挙げられる。
【００３２】
また、各保護膜を形成する材料として、偏光子との貼合性に優れ、従来から偏光板の透明保護膜として用いられてきた、トリアセチルセルロースに代表されるセルロースアシレート等のセルロース系ポリマーを好ましく用いることもできる。
【００３３】
本発明に用いられる各保護膜は、熱可塑性のポリマー樹脂を熱溶融して製膜してもよいし、ポリマーを均一に溶解した溶液から溶液製膜（ソルベントキャスト法）によって製膜してもよい。熱溶融製膜の場合は種々の添加剤（例えば、光学的異方性を低下する化合物、波長分散調整剤、紫外線防止剤、可塑剤、劣化防止剤、微粒子、光学特性調整剤など）を熱溶融時に加えることができる。一方、保護膜を溶液から調製する場合は、ポリマー溶液（以下、「ドープ」という。）には、各調製工程において用途に応じた種々の添加剤（例えば、光学的異方性を低下する化合物、波長分散調整剤、紫外線防止剤、可塑剤、劣化防止剤、微粒子、光学特性調整剤など）を加えることができる。添加剤の添加時期はドープ作製工程の何れの段階でも良く、ドープ調製工程の最後であってもよい。
【００３４】
偏光子の液晶セル側の保護膜（基板側保護膜）には光学補償フィルムを必要に応じて用いてもよい。前記光学補償フィルムとは、一般に液晶表示装置の斜め方向の視野角を補償する光学材料のことを指し、位相差板、光学補償シートなどと同義である。光学補償フィルムは、偏光板の保護膜そのものに光学性能を持たせた一体型、例えばトリアセチルセルロースアシレートフィルムに光学補償性能を持たせて偏光子の保護膜としたものでもよい。例えばトリアセチルセルロースフィルムにディスコティック液晶を塗布して、その後偏光板と一体化したものでもよい。
【００３５】
特に基板が液晶セルの場合に、裏側積層体が光学補償フィルムを含むことが好ましい。裏側積層体の光学補償フィルムは、表側積層体の部分で述べたものと同様の偏光板と一体化する型でもよいし、また、複数枚用いて貼りあわせたものでもよい。貼りあわせる光学補償フィルムとしては主にポリマーフィルムが好ましく用いられる。例えば面方向に二軸に延伸された複屈折を有するポリマーフィルムや、面方向に一軸に延伸され厚み方向にも延伸された厚み方向の屈折率を制御した傾斜配向ポリマーフィルムのような２方向延伸フィルムなどが用いられる。さらには傾斜配向フィルムも用いられる。例えばポリマーフィルムに熱収縮性フィルムを接着して加熱によるその収縮力の作用下にポリマーフィルムを延伸処理および／または収縮処理したものや液晶ポリマーを斜め配向させたものなどが挙げられる。
【００３６】
光学補償フィルムを裏側積層体に設ける場合には、表側積層体の偏光子の液晶セル側の保護膜（基板側保護膜）に屈折率の異方性が小さい（面方向や厚み方向で異ならない）保護膜を用いてもよい。
【００３７】
視認側保護膜、バックライト側保護膜および基板側保護膜の厚みは２０μｍ〜１５０μｍが好ましく、３０μｍ〜１３０μｍがさらに好ましい。
【００３８】
偏光子の視認側表面にはハードコートフィルム、反射防止フィルム、防眩フィルム等を貼りあわせまたは表面処理によって適宜設ける場合がある。ハードコートフィルムまたはハードコート処理は、偏光子表面の傷付き防止などを目的に施されるものであり、例えばシリコーン系などの適宜な紫外線硬化型樹脂による硬度や滑り性等に優れる硬化皮膜を、透明保護膜の表面に付加する方式などにて形成することができる。反射防止フィルムまたは反射防止処理（アンチリフレクション）は、偏光板表面での外光の反射防止を目的に施されるものであり、防眩フィルムまたは防眩処理（アンチグレア）はパネル（画面）の表面で外光が反射してパネルからの透過光の視認を阻害することの防止を目的に施されるものである。これらの機能は、例えばサンドブラスト方式やエンボス加工方式等による粗面化方式や、透明微粒子を含有した塗工液をコーティングする方式などの適宜な方式にて、保護膜表面に微細凹凸構造を付与することにより形成することができる。
【００３９】
（粘着剤）
本発明の液晶表示装置においては、表側および裏側積層体を基板に貼り合わせる際には、粘着剤を含む粘着剤層を用いて接着されるのが一般的である。これらの粘着剤層は、アクリル系等の従来に準じた適宜な粘着剤にて形成することができる。吸湿による発泡現象や剥がれ現象の防止、熱膨張差等による光学特性の低下などの点より、吸湿率が低くて耐熱性に優れる粘着剤層であることが好ましい。
【００４０】
本発明の液晶表示装置においては、表側および裏側積層体を基板に貼り合わせる際に用いる粘着剤層の厚みは３０μｍ〜１００μｍが好ましく、３３μｍ〜７０μｍがより好ましく、３４μｍ〜５０μｍがさらに好ましい。
【００４１】
前記粘着剤の素材としては、アクリル系粘着剤、ゴム系粘着剤、シリコーン系粘着剤、ウレタン系粘着剤、ポリエーテル系粘着剤、ポリエステル系粘着剤等の感圧系の粘着剤が好ましい。
【００４２】
アクリル系粘着剤の場合、そのベースポリマーであるアクリル系重合体に使用されるモノマーとしては、各種（メタ）アクリル酸エステル（ここで、「（メタ）アクリル酸エステル」とはアクリル酸エステルおよびメタクリル酸エステルを総称した表現であり、以下（メタ）の付く化合物名は同様の意味である。）を使用できる。かかる（メタ）アクリル酸エステルの具体例としては、たとえば、（メタ）アクリル酸メチル、（メタ）アクリル酸エチル、（メタ）アクリル酸ブチル、（メタ）アクリル酸２−エチルヘキシル、フェニル（メタ）アクリレート等を例示でき、これらを単独もしくは組合せて使用できる。また、得られるアクリル系重合体に極性を付与するために、前記（メタ）アクリル酸エステルの一部に代えて（メタ）アクリル酸を少量使用することもできる。さらに、架橋性単量体として（メタ）アクリル酸グリシジル、（メタ）アクリル酸２−ヒドロキシエチル、Ｎ−メチロール（メタ）アクリルアミド等も併用しうる。さらに所望により、（メタ）アクリル酸エステル重合体の粘着特性を損なわない程度において他の共重合可能な単量体、たとえば酢酸ビニル、スチレン等を併用しうる。
【００４３】
前記ゴム系粘着剤のベースポリマーとしては、例えば、天然ゴム、イソプレン系ゴム、スチレン−ブタジエン系ゴム、再生ゴム、ポリイソブチレン系ゴム、スチレン−イソプレン−スチレン系ゴム、スチレン−ブタジエン−スチレン系ゴム等が挙げられる。
【００４４】
前記シリコーン系粘着剤のベースポリマーとしては、例えば、ジメチルポリシロキサン、ジフェニルポリシロキサン等が挙げられる。
【００４５】
ポリエーテル系粘着剤のベースポリマーとしては、例えば、ポリビニルエチルエーテル、ポリビニルブチルエーテル、ポリビニルイソブチルエーテル等が挙げられる。
【００４６】
本発明で用いる粘着剤は、例えば、前記ベースポリマー（ａ）に、分子量１０万以下の化合物（ｂ）をブレンドすることにより調製することができる。（ａ）：（ｂ）の割合（質量比）は、９０：１０〜２０：８０とするのがより好ましい。
【００４７】
前記分子量１０万以下の化合物（ｂ）としては、ベースポリマー（ａ）とブレンドした際に相溶性がよく、光学的に透明であり、ガラス転移点（Ｔｇ）が３０℃以上のものが好ましい。たとえば、質量平均分子量１０万以下の前記ベースポリマーと同様のポリマーであって、モノマー成分として例えば（メタ）アクリル酸メチルのようなＴｇの高い成分を多く用いたもの等が挙げられる。
【００４８】
また、本発明で用いる粘着剤には、架橋剤を含有させることができる。架橋剤としては、ポリイソシアネート化合物、ポリアミン化合物、メラミン樹脂、尿素樹脂、エポキシ樹脂等が挙げられる。
【００４９】
さらに、本発明で用いる粘着剤には、必要に応じて、粘着付与剤、可塑剤、充填剤、酸化防止剤、紫外線吸収剤等を、本発明の目的を逸脱しない範囲でそれぞれ適宜使用することができる。これらの添加剤としては、従来から公知のものを適宜選択して使用することができる。
【００５０】
粘着剤層の形成方法は、特に制限されない。例えば、粘着剤の溶液を塗布して乾燥する方法、粘着剤層を設けた離型シートを用いて粘着剤層を転写する方法等の従来公知の方法が挙げられる。
【００５１】
（各層のサイズ）
画像表示装置に用いられる各層のサイズは、パネル（画面）の大きさに等しい。画像表示装置のパネルサイズに依存するが、実用的なサイズや製造上の観点から長辺の長さは１０ｃｍ〜５００ｃｍであることが好ましい。より好ましくは２０ｃｍ〜４５０ｃｍであり、さらに好ましくは３０ｃｍ〜４００ｃｍ、特に好ましくは４０ｃｍ〜３５０ｃｍである。大きさについては特に制限は無いが、面積が広ければ広いほど液晶パネルの反りが大きくなることから、特に大画面の液晶表示装置で本発明を用いれば効果的である。
【００５２】
（画像表示装置）
本発明の画像表示装置は、様々な表示モードの液晶セルを用いて達成することができる。表示モードとして、ＩＰＳ（In-Plane Switching）、ＶＡ（Vertical Aligned）、ＴＮ（Twisted Nematic）、ＯＣＢ（Optically Compensated Bend）、ＳＴＮ（Super Twisted Nematic）、ＥＣＢ（Electrically Controlled Birefringence）、ＦＬＣ（Ferroelectric Liquid Crystal）、ＡＦＬＣ（Anti-ferroelectric Liquid Crystal）、およびＨＡＮ（Hybrid Aligned Nematic）のような様々な表示モードが提案されている。また、前記表示モードを配向分割した表示モードも提案されている。
【００５３】
本発明の画像表示装置は、ＶＡ方式またはＩＰＳ方式の液晶表示モード、あるいは、ＴＮ方式またはＯＣＢ方式の液晶表示モードを用いることが好ましい。
【実施例】
【００５４】
以下に実施例と比較例を挙げて本発明の特徴をさらに具体的に説明する。以下の実施例に示す材料、使用量、割合、処理内容、処理手順等は、本発明の趣旨を逸脱しない限り適宜変更することができる。したがって、本発明の範囲は以下に示す具体例により限定的に解釈されるべきものではない。
【００５５】
（１）保護膜の作製
アセチル置換度２．８６のセルロースアセテート１００質量部、トリフェニルフォスフェート（ＴＰＰ）１０質量部、メチレンクロライド（第１溶媒）４００質量部、メタノール（第２溶媒）６０質量部を、それぞれミキシングタンク内に投入して攪拌することにより溶解し、セルロースアセテート溶液を調製した。このセルロースアセテート溶液を濾過後、金属支持体上に流延し、１００℃のテンターゾーンで保持して搬送後、１３０℃の乾燥ゾーンを３０分間通して乾燥させ、透明フィルム試料１０１を作製した。できあがった透明フィルム１０１の残留溶剤量は０．２％以下であり、膜厚は８０μｍであった。なお、上述のアセチル置換度とは、セルロースの２位、３位および５位の水酸基の水素原子がアセチル基で置換されている割合を示すものであり、２位、３位および５位のすべての水酸基の水素原子がアセチル基で置換されているときのアセチル置換度は３である。
前記透明フィルム試料１０１を、１．５ｍｏｌ／Ｌの水酸化ナトリウム水溶液に、５５℃で２分間浸漬した。室温の水洗浴槽中で洗浄し、３０℃で０．１ｍｏｌ／Ｌの硫酸を用いて中和した。再度、室温の水洗浴槽中で洗浄し、さらに１００℃の温風で乾燥した。このようにして、各透明フィルム試料の表面を表面処理した。
【００５６】
（２）パネルの作製
（ヨウ素系偏光板の作製）
厚み８０μｍのロール状ポリビニルアルコールフィルム（（株）クラレ製）をヨウ素水溶液中で連続して５倍に延伸し、乾燥することにより、厚み２５μｍの偏光子を得た。
厚み２５μｍの偏光子の両面に、ポリビニルアルコール系接着剤を用いて、前記表面処理した透明フィルム試料１０１を保護膜として貼り合せて、表側（視認側）および裏側（バックライト側）のヨウ素系偏光板を作製した。
次いで、厚み０．５ｍｍのガラス基板を用いた横長辺４０ｃｍ、縦短辺３２ｃｍのサイズのＶＡ型液晶セルにｍ表側は偏光板の偏光子の吸収軸の向きがパネルの長辺方向と平行となるように、ＶＡ型液晶セルの裏側には偏光板の偏光子吸収軸が表側の偏光板の吸収軸と直交するように、それぞれ偏光板を厚さ２７μｍのアクリル系粘着剤（（株）サンリッツ製）を介して貼り合せて液晶パネルを作製した。
【００５７】
（３）バックライト側光学部材の作製
長辺４０ｃｍ、短辺３２ｃｍ、厚さが２ｍｍの板状のアクリル板（三菱レイヨン（株）製）を用いて、長辺方向に反っており、その曲率半径が５００ｃｍ（試料１）、７５０ｃｍ（試料２）、８５０ｃｍ（試料３）、１０００ｃｍ（試料４）、無限大（反り無し）（試料５）のアクリル板を作成した。
これらのアクリル板上に前記長辺４０ｃｍ、短辺３２ｃｍのパネルをおいた場合、パネルの対角線の交点を中心とした半径１０ｃｍの円内の領域における部分でのパネルの裏側積層体とアクリル板（裏側積層体に隣設するバックライト側の光学部材に相当する）との距離の最小値は、試料１が３ｍｍ、試料２が２ｍｍ、試料３が１．７６ｍｍ、試料４が１．５ｍｍ、試料５が０ｍｍであった。
【００５８】
（４）液晶表示装置の湿熱処理による評価
上記（２）の方法により作製したパネルを温度４０℃、相対湿度９０％の環境下で４日間放置した。
その後、ガラス板上に前記（３）で作製したアクリル板を凹面を上にして置き、さらにその上に、前記パネルを置き、温度３６℃、相対湿度３０％の環境に移した。
その後ライトテーブル上に上記パネルを置き暗室で観察した結果、試料３、試料４および試料５のアクリル板上のパネルではサークルむらが観察されたが、試料１および試料２のアクリル板上のパネルではサークルむらは観察されなかった。
【産業上の利用可能性】
【００５９】
以上のように、本発明の画像表示装置は、サークルムラの発生が抑制されているため、表示性能の低下を効果的に抑えることができる。このため、環境変化が著しい条件下においても、優れた表示性能を維持することが可能である。したがって、本発明は産業上の利用可能性が高い。
【図面の簡単な説明】
【００６０】
【図１】本発明の画像表示装置の構成例を示す断面図である。
【符号の説明】
【００６１】
１  パネル
２  表側積層体
３  視認側保護膜
４  偏光子
５  基板側保護膜
６  基板
７  裏側積層体
８  筐体
９  バックライト側光学部材
【図１】
2007225922.tif 000003